(57)【要約】  切りくず吸引ドリル１０は、切れ刃２４により鋳物等の被削材４２に対して穴明け加工を行なうが、生成された切りくずは、切れ刃用溝２２に形成された切りくず取込み穴３０から切りくず吸引通路１８内に吸引され、シャンク１６側へ排出される。その場合に、刃部１２の外周面に空気導入溝３２が設けられているため、切れ刃２４によって切りくずが生成される工具先端部に空気が良好に導入されるようになり、切りくず吸引通路１８による空気の吸引に伴って工具先端部に導入された空気が切りくずと共に良好に切りくず取込み穴３０内に吸引される。特に、工具の内部には１本の切りくず吸引通路１８が設けられるだけであるため、その断面積を十分に確保することが可能で、その切りくず吸引通路１８の拡大に伴って切りくず取込み穴３０も大きくできるため、切りくず詰まりの発生が抑制されるとともに優れた切りくず吸引性能が得られるようになる。
2009107235.tif 000002
【特許請求の範囲】
【請求項１】
外周面に切れ刃用溝が形成されているとともに、該切れ刃用溝が工具先端側に開口する端縁に穴明け用の切れ刃が設けられた刃部と、
工具の内部に軸心Ｏに沿って設けられるとともに、前記切れ刃用溝に開口する切りくず取込み穴が形成された切りくず吸引通路と、
を有し、軸心Ｏまわりに回転駆動されつつ工具先端側へ前進させられることにより前記切れ刃によって穴明け加工を行なうとともに、該穴明け加工で生成された切りくずを前記切りくず取込み穴から前記切りくず吸引通路内に吸引してシャンク側へ排出する切りくず吸引ドリルにおいて、
前記刃部の外周面には、前記切れ刃の逃げ面に達するように空気導入溝が設けられている
ことを特徴とする切りくず吸引ドリル。
【請求項２】
前記切れ刃用溝は、軸心Ｏと平行な直溝またはシャンク側から見た工具回転方向と同じ方向にねじれたねじれ溝で、
前記空気導入溝は、軸心Ｏと平行な直溝またはシャンク側から見た工具回転方向と反対方向にねじれたねじれ溝で、軸方向において前記切れ刃用溝よりもシャンク側へ長く延び出すように設けられている
ことを特徴とする請求項１に記載の切りくず吸引ドリル。
【請求項３】
ドリル径Ｄに対して、前記刃部の軸方向長さＬ３は１．０Ｄ〜２．０Ｄの範囲内である
ことを特徴とする請求項１または２に記載の切りくず吸引ドリル。
【請求項４】
ドリル径Ｄに対して、前記切りくず取込み穴の軸方向長さＬ１は０．３Ｄ〜１．０Ｄの範囲内で、軸方向と直角な幅方向の最大寸法である幅寸法Ｌ２は０．１５Ｄ以上である
ことを特徴とする請求項１〜３の何れか１項に記載の切りくず吸引ドリル。
【請求項５】
前記切れ刃の逃げ面には、前記空気導入溝を通って導入された空気が該逃げ面と加工穴の底面との間の隙間を通って前記切れ刃用溝内へ流入できるように所定の逃げが設けられている
ことを特徴とする請求項１〜４の何れか１項に記載の切りくず吸引ドリル。
【請求項６】
前記切れ刃の逃げ面には、前記切れ刃用溝が工具先端側に開口する端縁のうち前記切れ刃と反対側に位置する部分と前記空気導入溝とを繋ぐように連通溝が設けられている
ことを特徴とする請求項１〜５の何れか１項に記載の切りくず吸引ドリル。
【請求項７】
前記切れ刃用溝および前記切れ刃は、軸心Ｏに対して対称的に一対設けられている一方、
前記切りくず吸引通路は、工具の軸心Ｏと同心に形成された単一の円形穴で、
該切りくず吸引通路の先端に部分的に交わるように前記一対の切れ刃用溝が設けられることにより、それぞれ該切れ刃用溝に開口する一対の切りくず取込み穴が形成されている
ことを特徴とする請求項１〜６の何れか１項に記載の切りくず吸引ドリル。
【請求項８】
前記刃部に連続して該刃部よりも径寸法が小さい首部を有し、
前記切れ刃用溝は、前記刃部と前記首部との境界の段差に達しない範囲に設けられている一方、
前記空気導入溝は、前記刃部と前記首部との境界の段差を含んで設けられている
ことを特徴とする請求項１〜７の何れか１項に記載の切りくず吸引ドリル。
【請求項９】
前記首部の径寸法ｄ１は、加工穴の内周面との間に前記切りくず吸引通路の断面積と同じかそれ以上の断面積の環状空間が形成されるように定められている
ことを特徴とする請求項８に記載の切りくず吸引ドリル。
【発明の詳細な説明】
【技術分野】
【０００１】
本発明はドリルに係り、特に、環境汚染の予防や清掃作業の簡略化を図るために切りくずを強制的に吸引して排出する切りくず吸引ドリルに関するものである。
【背景技術】
【０００２】
(a) 外周面に切れ刃用溝が形成されているとともに、その切れ刃用溝が工具先端側に開口する端縁に穴明け用の切れ刃が設けられた刃部と、(b) 工具の内部に軸心に沿って設けられるとともに、前記切れ刃用溝に開口する切りくず取込み穴が形成された切りくず吸引通路と、を有し、(c) 軸心まわりに回転駆動されつつ工具先端側へ前進させられることにより前記切れ刃によって穴明け加工を行なうとともに、その穴明け加工で生成された切りくずを前記切りくず取込み穴から前記切りくず吸引通路内に吸引してシャンク側へ排出する切りくず吸引ドリルが提案されている（特許文献１参照）。このような切りくず吸引ドリルによれば、穴明け加工で生成された切りくずが切りくず取込み穴から切りくず吸引通路内に吸引されてシャンク側へ排出されるため、クーラントで洗い流す場合に比較して、切りくずの後始末が容易になって清掃作業が簡略化されるとともに、切りくずの飛散による作業環境の悪化が大幅に改善される。
【特許文献１】特公昭４４−１３７４５号公報
【発明の開示】
【発明が解決しようとする課題】
【０００３】
ところで、上記引用文献１に記載の切りくず吸引ドリルは、切りくず吸引通路とは別に空気導入通路が工具の内部に設けられ、切りくず吸引通路による吸引に伴って空気導入通路から空気が工具の先端部分へ導入されるようになっているため、切りくず吸引通路の断面積を十分に確保することが困難で、切りくず詰まりが発生し易いとともに、切りくず取込み穴が小さくて切りくずの吸引作用が十分に得られないという問題があった。空気導入通路の開口部、すなわち空気の導入部位も切れ刃より手前であるため、切れ刃によって生成された切りくずを必ずしも効率良く切りくず取込み穴に導くことができない。また、切れ刃を形成するための切れ刃用溝に連続して螺旋状溝が軸方向に連続して設けられているため、その螺旋状溝からも空気が工具先端側へ導入されることになり、切りくず吸引通路が空気ばかり吸い込んで、切りくずをうまく吸い込むことができない可能性があった。更に、切りくず吸引通路の負圧の作用だけで空気導入通路内に空気が導入されるため、十分な空気の流れを発生させることが困難で、この点でも切りくずの吸引作用が十分に得られない可能性がある。【０００４】
本発明は以上の事情を背景として為されたもので、その目的とするところは、切れ刃によって生成された切りくずが高い吸引作用で切りくず吸引通路内に良好に吸引され、切りくず詰まりを生じることなくその切りくず吸引通路内を通って良好に排出されるようにすることにある。
【課題を解決するための手段】
【０００５】
かかる目的を達成するために、第１発明は、(a) 外周面に切れ刃用溝が形成されているとともに、その切れ刃用溝が工具先端側に開口する端縁に穴明け用の切れ刃が設けられた刃部と、(b) 工具の内部に軸心Ｏに沿って設けられるとともに、前記切れ刃用溝に開口する切りくず取込み穴が形成された切りくず吸引通路と、を有し、(c) 軸心Ｏまわりに回転駆動されつつ工具先端側へ前進させられることにより前記切れ刃によって穴明け加工を行なうとともに、その穴明け加工で生成された切りくずを前記切りくず取込み穴から前記切りくず吸引通路内に吸引してシャンク側へ排出する切りくず吸引ドリルにおいて、(d) 前記刃部の外周面には、前記切れ刃の逃げ面に達するように空気導入溝が設けられていることを特徴とする。【０００６】
第２発明は、第１発明の切りくず吸引ドリルにおいて、(a) 前記切れ刃用溝は、軸心Ｏと平行な直溝またはシャンク側から見た工具回転方向と同じ方向にねじれたねじれ溝で、(b) 前記空気導入溝は、軸心Ｏと平行な直溝またはシャンク側から見た工具回転方向と反対方向にねじれたねじれ溝で、軸方向において前記切れ刃用溝よりもシャンク側へ長く延び出すように設けられていることを特徴とする。【０００７】
第３発明は、第１発明または第２発明の切りくず吸引ドリルにおいて、ドリル径Ｄに対して、前記刃部の軸方向長さＬ３は１．０Ｄ〜２．０Ｄの範囲内であることを特徴とする。なお、刃部は、前記切れ刃用溝が形成されている範囲である。【０００８】
第４発明は、第１発明〜第３発明の何れかの切りくず吸引ドリルにおいて、ドリル径Ｄに対して、前記切りくず取込み穴の軸方向長さＬ１は０．３Ｄ〜１．０Ｄの範囲内で、軸方向と直角な幅方向の最大寸法である幅寸法Ｌ２は０．１５Ｄ以上であることを特徴とする。【０００９】
第５発明は、第１発明〜第４発明の何れかの切りくず吸引ドリルにおいて、前記切れ刃の逃げ面には、前記空気導入溝を通って導入された空気がその逃げ面と加工穴の底面との間の隙間を通って前記切れ刃用溝内へ流入できるように所定の逃げが設けられていることを特徴とする。【００１０】
第６発明は、第１発明〜第５発明の何れかの切りくず吸引ドリルにおいて、前記切れ刃の逃げ面には、前記切れ刃用溝が工具先端側に開口する端縁のうち前記切れ刃と反対側に位置する部分と前記空気導入溝とを繋ぐように連通溝が設けられていることを特徴とする。【００１１】
第７発明は、第１発明〜第６発明の何れかの切りくず吸引ドリルにおいて、(a) 前記切れ刃用溝および前記切れ刃は、軸心Ｏに対して対称的に一対設けられている一方、(b) 前記切りくず吸引通路は、工具の軸心Ｏと同心に形成された単一の円形穴で、(c) その切りくず吸引通路の先端に部分的に交わるように前記一対の切れ刃用溝が設けられることにより、それぞれその切れ刃用溝に開口する一対の切りくず取込み穴が形成されていることを特徴とする。【００１２】
第８発明は、第１発明〜第７発明の何れかの切りくず吸引ドリルにおいて、(a) 前記刃部に連続してその刃部よりも径寸法が小さい首部を有し、(b) 前記切れ刃用溝は、前記刃部と前記首部との境界の段差に達しない範囲に設けられている一方、(c) 前記空気導入溝は、前記刃部と前記首部との境界の段差を含んで設けられていることを特徴とする。【００１３】
第９発明は、第８発明の切りくず吸引ドリルにおいて、前記首部の径寸法ｄ１は、加工穴の内周面との間に前記切りくず吸引通路の断面積と同じかそれ以上の断面積の環状空間が形成されるように定められていることを特徴とする。
【発明の効果】
【００１４】
このような切りくず吸引ドリルにおいては、刃部の外周面に切れ刃の逃げ面に達するように空気導入溝が設けられているため、切れ刃によって切りくずが生成される工具先端部に空気が良好に導入されるようになり、切りくず吸引通路による空気の吸引に伴って、空気導入溝から工具先端部に導入された空気が切りくずと共に良好に切りくず取込み穴内に吸引され、切りくず吸引通路を経てシャンク側へ良好に排出されるようになる。その場合に、刃部の外周面に空気導入溝が設けられることにより、工具の内部には切りくず吸引通路が設けられるだけであるため、その切りくず吸引通路の断面積を十分に確保することが可能で、その切りくず吸引通路の拡大に伴って切りくず取込み穴も大きくすることができるため、切りくず詰まりの発生が抑制されるとともに、優れた切りくず吸引性能が得られるようになる。加えて、工具の内部に空気導入通路を設ける場合に比較して、空気の導入部位が切りくずを生成する切れ刃に一層近くなるため、その切りくずを一層効果的に切りくず取込み穴内に導くことができ、切りくず吸引性能が一層向上する。【００１５】
また、穴明け加工の進行に伴って切れ刃用溝が設けられた刃部が加工穴内に入り込むと、その切れ刃用溝からの空気の流入が制限されるため、空気導入溝を中心として空気が工具先端部に導入されるようになり、その工具先端側から切りくず取込み穴内に吸い込まれる際に切りくずが一層良好に切りくず吸引通路内に吸引されるようになる。【００１６】
第２発明では、空気導入溝が軸心Ｏと平行な直溝または工具回転方向と反対方向にねじれたねじれ溝であり、ねじれ溝とした場合には、穴明け加工の際の工具の回転に伴って空気導入溝を経て工具先端側へ空気が一層良好に導入されるようになり、切りくず吸引通路による空気の吸引と相まって空気導入溝から工具先端部を経て切りくず取込み穴へ向かう空気の流れが良好に形成され、その空気の流れにより切りくずが一層良好に切りくず吸引通路内に吸引されるようになる。また、この空気導入溝は、軸方向において切れ刃用溝よりもシャンク側へ長く延び出すように設けられているため、切れ刃用溝が加工穴内に完全に入り込んだ後には、空気導入溝を中心として空気が工具先端部に導入されるようになり、優れた切りくず吸引性能が得られるようになる。【００１７】
第３発明では、切れ刃用溝が設けられた刃部の軸方向長さＬ３が１．０Ｄ〜２．０Ｄの範囲内で比較的短いため、加工穴と刃部との摺接による加工抵抗が低減されるとともに、その刃部よりも深い穴を加工する際には、その刃部が加工穴内に完全に入り込んだ後は空気導入溝を中心として空気が工具先端部に導入されるようになり、優れた切りくず吸引性能が得られる。【００１８】
第４発明では、切りくず取込み穴の軸方向長さＬ１が０．３Ｄ〜１．０Ｄの範囲内で、軸方向と直角な幅寸法Ｌ２が０．１５Ｄ以上であるため、切れ刃によって生成された切りくずが良好に切りくず取込み穴内に吸引される。特に、鋳物など比較的小さくて且つ絡み難い切りくずが生成される場合に、その切りくずを良好に吸引して除去することができる。【００１９】
第５発明では、切れ刃の逃げ面に所定の逃げが設けられ、空気導入溝を通って導入された空気がその逃げ面と加工穴の底面との間の隙間を通って切れ刃用溝内へ流入できるようになっているため、空気導入溝内に導入された空気が切れ刃の逃げ面と加工穴の底面との間の隙間を通って切れ刃用溝内へ良好に流入させられ、切りくずを切りくず取込み穴内に吸引する空気の流れが良好に形成される。【００２０】
第６発明では、切れ刃の逃げ面に連通溝が設けられ、切れ刃用溝と空気導入溝とが繋がれているため、空気導入溝内に導入された空気がその連通溝を通って切れ刃用溝内へ良好に流入させられ、切りくずを切りくず取込み穴内に吸引する空気の流れが良好に形成される。【００２１】
第７発明は、軸心Ｏに対して対称的に一対の切れ刃が設けられているが、工具の軸心Ｏと同心に単一の切りくず吸引通路が設けられているため、大きな流通断面積を確保することが可能で、切りくず詰まりを抑制しつつ一対の切れ刃によって生成された切りくずを良好にシャンク側へ排出することができる。また、切りくず吸引通路の先端に部分的に交わるように一対の切れ刃用溝が設けられて一対の切りくず取込み穴が形成されているため、切削加工或いは研削加工などで切れ刃用溝を形成する際に同時に切りくず取込み穴を設けることができるとともに、例えばその切れ刃用溝の勾配角θを変更することにより、切りくず取込み穴の形状や大きさを簡単に調整することができる。【００２２】
第８発明は、刃部に連続して刃部よりも径寸法が小さい首部を有する場合で、その刃部と首部との境界の段差を含んで空気導入溝を設ければ、加工穴の内周面と首部との間の隙間を通って空気導入溝内に空気が良好に導入されるため、空気導入溝の加工長さが短くなるとともに、首部の加工は円筒切削加工或いは研削加工等により比較的簡単に且つ迅速に行なうことができるため、製造コストが低減される。【００２３】
第９発明では、首部の径寸法ｄ１が、加工穴の内周面との間に切りくず吸引通路の断面積と同じかそれ以上の断面積の環状空間が形成されるように定められているため、その首部と加工穴の内周面との間に十分な量の空気が流入し、切りくずを切りくず取込み穴内に吸引するための空気の流れが良好に形成される。
【図面の簡単な説明】
【００２４】
【図１】本発明の一実施例である２枚刃の切りくず吸引ドリルを示す図で、(a) は概略正面図、(b) は先端部の拡大図、(c) は(b) の右方向すなわち先端側から見た端面図、(d) は(c) の下方から見た図で(b) に比較して軸心Ｏまわりの位相が９０°異なる方向から見た図である。
【図２】図１の切りくず吸引ドリルの先端部を切れ刃用溝に沿って破断した断面図である。
【図３】図１の切りくず吸引ドリルに設けられた切りくず取込み穴の拡大図である。
【図４】図１の切りくず吸引ドリルを用いて穴明け加工を行なった場合の空気の流れを説明する断面図である。
【図５】本発明品を含む４種類の試験品を用いて穴明け加工を行い、切りくず吸引性能を調べた結果を説明する図である。
【図６】本発明の他の実施例を説明する図で、図１の(d) に対応する先端部の拡大図である。
【図７】本発明の更に別の実施例を説明する正面図である。
【符号の説明】
【００２５】
１０、５０、６０：切りくず吸引ドリル    １２、６２：刃部    １４：首部    １６：シャンク    １８：切りくず吸引通路    ２０：加工穴    ２２：切れ刃用溝    ２４：切れ刃    ２６：逃げ面    ３０：切りくず取込み穴    ３２、６４：空気導入溝    ５２：連通溝    Ｏ：軸心    Ｄ：ドリル径
【発明を実施するための最良の形態】
【００２６】
本発明は、２枚刃のドリルに好適に適用されるが、１枚刃のドリルや３枚刃以上のドリルに適用することも可能である。ドリルの材質は、超硬合金や高速度工具鋼等の種々の工具材料を使用できる。【００２７】
本発明の切りくず吸引ドリルは、基本的には切削油剤を使用しないドライ加工に好適に用いられるが、切りくずの吸引作用が適当に得られる範囲で、ミスト状の切削油剤などを使用しても差し支えない。また、例えば鋳物やアルミ鋳物など、切りくずが細かくて且つ絡みにくい被削材に対する穴明け加工に好適に用いられる。【００２８】
本発明は、刃部よりも小径の首部を有するドリルに好適に適用されるが、ドリル径Ｄと略同じ径寸法でシャンクまで達しているものや、シャンク側に向かうに従って連続的に径寸法が小さくなるバックテーパが設けられたものにも、良好に適用され得る。その場合に、切れ刃用溝が設けられる刃部は、先端側の比較的短い範囲（例えば軸方向長さＬ３＝１．０Ｄ〜２．０Ｄ程度）に設定することが望ましく、空気導入溝は、その刃部を超えてシャンク側へ向かって延び出すように設ければ良い。【００２９】
切れ刃用溝は、軸心Ｏと平行であっても良いが、切れ刃によって生成された切りくずが切れ刃用溝に開口する切りくず取込み穴に向かって良好に流動するように、シャンク側から見た工具回転方向と同じ方向へねじれたねじれ溝とすることが望ましい。この切れ刃用溝は短くて良いため、軸心Ｏに対して傾斜する直線状の傾斜溝であっても良く、このような傾斜溝もねじれ溝の一態様である。なお、切れ刃用溝は比較的短く、且つ切りくず吸引通路の吸引で切りくずが吸い込まれるため、切れ刃用溝がシャンク側から見た工具回転方向と反対方向へねじれたり傾斜したりしていても、切りくず取込み穴内に吸引することができる。【００３０】
切りくず吸引通路は、例えば軸心Ｏと同心に設けられる直線状の円形穴が望ましいが、軸心Ｏまわりにねじれたねじれ穴や、断面が三角形や四角形等の角形穴を採用することもできるなど、切りくずを流通させることができる種々の態様が可能である。円形穴の切りくず吸引通路の場合、その径寸法ｄ２は、小さ過ぎると切りくずの流通が阻害され、大き過ぎると工具の剛性が損なわれるため、例えば０．３Ｄ〜０．７Ｄの範囲内が適当で、０．５Ｄ〜０．７Ｄ程度が望ましい。この切りくず吸引通路は、例えばシャンク側の端面に達するように設けられて、切りくずを排出するように構成されるが、シャンクの中間部、或いはシャンクと首部との境界等に、外周面に開口する排出穴等を設けて切りくずを排出することもできる。【００３１】
空気導入溝は、軸心Ｏと平行であっても良いが、工具の回転に伴って空気が流入するように、シャンク側から見た工具回転方向と反対方向へねじれたねじれ溝とすることが望ましい。小径の首部を備えていて刃部のみに空気導入溝が設けられる場合など、その長さ寸法が短い場合には、軸心Ｏに対して傾斜する直線状の傾斜溝であっても良く、このような傾斜溝もねじれ溝の一態様である。なお、切りくず吸引通路の吸引による負圧によっても空気が空気導入溝内に流入するため、シャンク側から見た工具回転方向と同じ方向へねじれたり傾斜したりしている空気導入溝を採用することもできる。【００３２】
上記空気導入溝は、切れ刃用溝に対応してその切れ刃用溝と同じ数だけ設けられる。この空気導入溝は、例えば一定の深さ寸法で外周面に沿って湾曲する円弧溝などで、切削加工或いは砥石による研削加工などで形成することができる。空気導入溝は、切れ刃用溝と交差したり接触したりしないように設けられ、工具先端部における流通を除いて互いに空気が流通しないように完全に分離して設けることが望ましいが、一部が接続されて僅かな量の空気が流通するようになっていても差し支えない。例えば、切れ刃の逃げ面と切れ刃用溝との境界部分に空気導入溝の先端部が開口するようになっていても良い。【００３３】
切りくず取込み穴の軸方向長さＬ１は、０．３Ｄよりも小さいと切りくず詰まりが発生し易くなって溶着を生じる可能性が高くなる一方、軸方向長さＬ１が１．０Ｄよりも大きいと空気ばかり吸い込み易くなって切りくず吸引性能が低下するため、０．３Ｄ〜１．０Ｄの範囲内が適当である。また、切りくず取込み穴の幅寸法Ｌ２は、０．１５Ｄよりも小さいと切りくず詰まりが発生し易くなって溶着を生じる可能性が高くなる。なお、この幅寸法Ｌ２の上限は、切りくず吸引通路の大きさや切れ刃用溝の断面形状等によって定まる。【００３４】
上記切りくず取込み穴は、例えば切れ刃用溝が切りくず吸引通路の先端に部分的に交わるように設けられることによって形成されるが、必ずしも交差によって形成された穴をそのまま切りくず取込み穴として使用する必要はなく、必要に応じて研削加工等により穴を拡大して切りくず取込み穴として使用するようにしても良い。切れ刃用溝と切りくず吸引通路とが全く交差しない場合には、切れ刃用溝の底部に穴明け加工等を行なって切りくず吸引通路に連通させるようにしても良いなど、種々の態様が可能である。【００３５】
刃部は、上記切りくず取込み穴を形成できれば良いため、その長さ寸法Ｌ３は、１．０Ｄ〜２．０Ｄの範囲内が適当である。長さ寸法Ｌ３が２．０Ｄよりも長くても差し支えないが、例えば空気導入溝としてねじれ溝を形成する場合には、その空気導入溝が切れ刃用溝と干渉（接触）しないようにするため、刃部の長さ寸法Ｌ３、すなわち切れ刃用溝の長さ寸法はできるだけ短い方が望ましい。【００３６】
前記第８発明では、切れ刃用溝が刃部と首部との境界の段差に達しない範囲に設けられているが、例えば空気導入溝だけでは十分に空気を導入することが困難で、適当な空気の流れを形成することが難しい場合には、切れ刃用溝が刃部と首部との境界の段差に達するように形成し、所定量の空気が首部から切れ刃用溝内に流入するように構成することも可能である。
【実施例】
【００３７】
以下、本発明の実施例を、図面を参照しつつ詳細に説明する。
図１は本発明の一実施例である切りくず吸引ドリル１０を示す図で、(a) は軸心Ｏと直角方向から見た概略正面図、(b) は先端の刃部１２の拡大図、(c) は(b) の右方向すなわち先端側から見た端面図、(d) は(c) の下方から見た図で(b) に比較して軸心Ｏまわりの位相が９０°異なる方向から見た図である。この切りくず吸引ドリル１０は、超硬合金にて構成されているとともに、ドリル径Ｄと同じ径寸法を有する刃部１２、刃部１２よりも小径で一定の径寸法ｄ１の首部１４、および刃部１２と同じ径寸法のシャンク１６とを、軸心Ｏ上に連続して一体に備えている。本実施例では、ドリル径Ｄ＝１０ｍｍで、首部１４の径寸法ｄ１＝８ｍｍで、軸心Ｏ上にはシャンク１６側の端面から先端近くまで一定の径寸法ｄ２＝６ｍｍ（０．６Ｄ）の直線状の有底の円形穴が切りくず吸引通路１８として形成されている。首部１４の径寸法ｄ１は、加工穴２０（図４参照）の内周面との間の環状の隙間２１が切りくず吸引通路１８の断面積と略同じになるように、加工穴２０の内径＝ドリル径Ｄとして、次式(1) を満足するように定められている。
Ｄ2 π−ｄ１2 π＝ｄ２2 π    ・・・(1) 【００３８】
上記刃部１２の外周面には、軸心Ｏに対して対称的に一対の切れ刃用溝２２が設けられており、その切れ刃用溝２２の工具先端側に開口する端縁にそれぞれ穴明け用の切れ刃２４が設けられている。本実施例の切りくず吸引ドリル１０は、シャンク１６側から見て右まわりに回転駆動されることにより穴明け加工を行なうもので、上記切れ刃用溝２２は所定のねじれ角（例えば２０°程度）で右まわりにねじれたねじれ溝、厳密には直線状の傾斜溝とされており、切れ刃２４によって生成された切りくずには、工具の回転に伴ってその切れ刃用溝２２の傾斜により首部１４側へ向かう方向の分力が作用する。また、切れ刃２４には、所定の逃げ角ρで円弧状に逃げるように逃げ面２６が形成されている。逃げ角ρは、本実施例では約１０°とされている。【００３９】
上記切れ刃用溝２２は、図２に示すように先端に例えば１．０〜１．３ｍｍ程度の心厚を残す状態で、その先端から軸心Ｏに対して所定の勾配角θで傾斜するように、砥石による研削加工によって形成されており、その溝底の一部が前記切りくず吸引通路１８と交差（干渉）することにより、切りくず取込み穴３０が形成されている。図３は、この切りくず取込み穴３０を示す正面図、すなわち図１(b) に相当する形状の拡大図で、切りくず取込み穴３０の軸心Ｏと平行な方向の軸方向長さＬ１は０．３Ｄ〜１．０Ｄの範囲内で、軸方向と直角な幅方向の最大寸法である幅寸法Ｌ２は０．１５Ｄ以上である。この切りくず取込み穴３０の形状や大きさは、上記勾配角θや切れ刃用溝２２の断面形状によって定まり、本実施例では勾配角θ≒２０°で、軸方向長さＬ１≒５．０ｍｍ（０．５Ｄ）とされ、幅寸法Ｌ２≒２．５ｍｍ（０．２５Ｄ）とされている。図２は、切れ刃用溝２２の傾斜（ねじれ）に沿って切り開いた断面図である。【００４０】
刃部１２は、切れ刃用溝２２が首部１４に達することがないように、厳密には首部１４と刃部１２との境界の段差に達しないように、その軸方向長さＬ３が１．０Ｄ〜２．０Ｄの範囲内で設定されており、本実施例ではＬ３≒１２ｍｍ（１．２Ｄ）とされている。【００４１】
刃部１２の外周面にはまた、切れ刃用溝２２と交差することがないように、軸心Ｏに対して対称的に一対の空気導入溝３２が設けられている。空気導入溝３２は、シャンク１６側から見た工具回転方向と反対方向すなわち左まわりに所定のねじれ角（例えば３０°程度）でねじれたねじれ溝で、首部１４と刃部１２との境界の段差を含んで前記逃げ面２６に達するように設けられており、穴明け加工時の工具の回転に伴って外部の空気が空気導入溝３２に沿って工具の先端側へ流動させられる。この空気導入溝３２は、砥石による研削加工によって所定の幅寸法（例えば２〜３ｍｍ程度）で、溝底径が例えば首部１４の径寸法と略同じかそれより小さく、少なくとも切りくず吸引通路１８に達することがないように形成されている。本実施例では、空気導入溝３２がその全長に亘って切れ刃用溝２２と接することなく、完全に分離して設けられている。【００４２】
そして、このような切りくず吸引ドリル１０は、図４に示すように前記切りくず吸引通路１８の後端部、すなわちシャンク１６側の開口部に吸引装置４０が接続され、その吸引装置４０により所定の吸引力で空気を吸引しつつ、図示しない加工機械（マシニングセンタなど）によりシャンク１６側から見て軸心Ｏの右まわりに回転駆動しつつ工具先端側へ前進させて、切れ刃２４により鋳物等の被削材４２に対して穴明け加工を行なう。その場合に、穴明け加工で生成された切りくずは、切れ刃用溝２２に形成された切りくず取込み穴３０から切りくず吸引通路１８内に吸引され、シャンク１６側へ排出される。【００４３】
ここで、本実施例では刃部１２の外周面に切れ刃２４の逃げ面２６に達するように空気導入溝３２が設けられているため、切れ刃２４によって切りくずが生成される工具先端部に空気が良好に導入されるようになり、切りくず吸引通路１８による空気の吸引に伴い、空気導入溝３２から工具先端部に導入された空気が切りくずと共に良好に切りくず取込み穴３０内に吸引される。特に、刃部１２の外周面に空気導入溝３２が設けられることにより、工具の内部には１本の切りくず吸引通路１８が設けられるだけであるため、その切りくず吸引通路１８の断面積を十分に確保することが可能で、その切りくず吸引通路１８の拡大に伴って切りくず取込み穴３０も大きくすることができるため、切りくず詰まりの発生が抑制されるとともに、優れた切りくず吸引性能が得られるようになる。【００４４】
また、工具の内部に空気導入通路を設ける場合に比較して、空気の導入部位が切りくずを生成する切れ刃２４に一層近くなるため、その切りくずを一層効果的に切りくず取込み穴３０内に導くことができ、切りくず吸引性能が一層向上する。【００４５】
また、穴明け加工の進行に伴って切れ刃用溝２２が設けられた刃部１２が加工穴２０内に入り込むと、その切れ刃用溝２２からの空気の流入が制限されるため、空気導入溝３２を中心として空気が工具先端部に導入されるようになり、その工具先端側から切りくず取込み穴３０内に吸い込まれる際に切りくずが一層良好に切りくず吸引通路１８内に吸引されるようになる。すなわち、空気導入溝３２は刃部１２と首部１４との境界の段差を含んで形成されており、その境界の段差に達しないように設けられた切れ刃用溝２２よりもシャンク１６側へ延び出すように設けられているとともに、それ等の空気導入溝３２および切れ刃用溝２２は互いに交差しないように完全に分離して形成されているため、切れ刃用溝２２が設けられた刃部１２が加工穴２０内に完全に入り込んだ後には、専ら空気導入溝３２から空気が工具先端部に導入されるようになり、優れた切りくず吸引性能が得られるようになるのである。図４の太線矢印は、この時の空気の流れを示したものである。【００４６】
また、本実施例では、空気導入溝３２が工具回転方向と反対方向にねじれたねじれ溝であるため、穴明け加工の際の工具の回転に伴って空気導入溝３２を経て工具先端側へ空気が一層良好に導入されるようになり、切りくず吸引通路１８による空気の吸引と相まって空気導入溝３２から工具先端部を経て切りくず取込み穴３０へ向かう空気の流れが良好に形成され、その空気の流れにより切りくずが一層良好に切りくず吸引通路１８内に吸引されるようになる。【００４７】
また、本実施例では、切れ刃用溝２２が設けられた刃部１２の軸方向長さＬ３が１．０Ｄ〜２．０Ｄの範囲内で比較的短いため、加工穴２０と刃部１２との摺接による加工抵抗が低減されるとともに、その刃部１２よりも深い穴を加工する際には、その刃部１２が加工穴２０内に完全に入り込んだ後は、首部１４と加工穴２０の内周面との間の隙間２１および空気導入溝３２を経て空気が工具先端部に導入されるようになり、優れた切りくず吸引性能が得られる。【００４８】
また、本実施例では、切りくず取込み穴３０の軸方向長さＬ１が０．３Ｄ〜１．０Ｄの範囲内で、軸方向と直角な幅寸法Ｌ２が０．１５Ｄ以上であるため、切れ刃２４によって生成された切りくずが良好に切りくず取込み穴３０内に吸引される。特に、鋳物など比較的小さくて且つ絡み難い切りくずが生成される場合に、その切りくずを良好に吸引して除去することができる。【００４９】
また、本実施例では、切れ刃２４の逃げ面２６に所定の逃げ角ρで円弧状の逃げが設けられているため、空気導入溝３２内に導入された空気が切れ刃２４の逃げ面２６と加工穴２０の底面との間の隙間を通って切れ刃用溝２２内へ良好に流入させられ、切りくずを切りくず取込み穴３０内に吸引する空気の流れが良好に形成される。【００５０】
また、本実施例では、軸心Ｏに対して対称的に一対の切れ刃２４が設けられているが、工具の軸心Ｏと同心に単一の切りくず吸引通路１８が設けられているため、大きな流通断面積を確保することが可能で、切りくず詰まりを抑制しつつ一対の切れ刃２４によって生成された切りくずを良好にシャンク１６側へ排出することができる。【００５１】
また、切りくず吸引通路１８の先端に部分的に交わるように一対の切れ刃用溝２２が設けられて一対の切りくず取込み穴３０が形成されているため、研削加工によって切れ刃用溝２２を形成する際に同時に切りくず取込み穴３０を設けることができるとともに、その切れ刃用溝２２の勾配角θを変更することにより、切りくず取込み穴３０の形状や大きさを簡単に調整することができる。【００５２】
また、本実施例は、刃部１２に連続して刃部１２よりも径寸法が小さい首部１４を有する場合で、その刃部１２と首部１４との境界の段差を含んで空気導入溝３２を設ければ、加工穴２０の内周面と首部１４との間の隙間２１を通って空気導入溝３２内に空気が良好に導入されるため、空気導入溝３２の加工長さが短くなるとともに、首部１４の加工は円筒研削加工等により比較的簡単に且つ迅速に行なうことができるため、製造コストが低減される。【００５３】
また、上記首部１４の径寸法ｄ１が、加工穴２０の内周面との間に切りくず吸引通路１８の断面積と略同じ断面積の環状空間が形成されるように定められているため、その首部１４と加工穴２０の内周面との間に十分な量の空気が流入し、切りくずを切りくず取込み穴３０内に吸引するための空気の流れが良好に形成される。【００５４】
次に、図５の(b) に示すように、切りくず取込み穴３０の大きさおよび空気導入溝３２の有無が異なる４種類の試験品No１〜No４を用意し、(a) に示す試験条件で穴明け加工を行って切りくず吸引性能を調べた結果を説明する。試験品No１〜No４の基本形状は前記実施例の切りくず吸引ドリル１０と同じで、径寸法ｄ２＝６ｍｍの切りくず吸引通路１８を備えており、切れ刃用溝２２の勾配角θによって切りくず取込み穴３０の形状が変更されている。空気導入溝３２を有する試験品No３、No４が本発明品で、その中の試験品No３は、前記実施例と同じものである。【００５５】
そして、試験品No３による穴明け加工時に切りくず吸引通路１８を経て吸引された切りくずの重量を１００％として、切りくず吸引量を比較したところ、図５の(b) に示す結果が得られた。切りくず取込み穴３０が比較的小さく且つ空気導入溝３２を備えていない試験品No１では、切りくずがうまく吸引せず、切りくず取込み穴３０に切りくずが詰まって溶着が発生し、穴明け加工が不可であった。試験品No２は、試験品No３と同じ形状の切りくず取込み穴３０が設けられているが、空気導入溝３２を備えていなため、空気の流れがうまく形成されず、試験品No３に比較して切りくず吸引量は８５％程度であった。試験品No４は、切りくず取込み穴３０が大きく、従って切れ刃用溝２２が刃部１２を超えて首部１４にまで達している場合であり、刃部１２が加工穴２０内に完全に入り込んだ後も、その切れ刃用溝２２を経て空気が切りくず取込み穴３０に吸引されるため、その分だけ切りくず吸引性能が損なわれ、試験品No３に比較して切りくず吸引量は９０％程度であった。【００５６】
次に、本発明の他の実施例を説明する。なお、以下の実施例において前記実施例と実質的に共通する部分には同一の符号を付して詳しい説明を省略する。【００５７】
図６の切りくず吸引ドリル５０は、前記実施例に比較して、前記空気導入溝３２と切れ刃用溝２２とを繋ぐように切れ刃２４の逃げ面２６に連通溝５２を設けた場合である。この場合には、空気導入溝３２内に導入された空気がその連通溝５２を通って切れ刃用溝２２内へ良好に流入させられるようになり、前記逃げ角ρによる逃げ面２６の逃げと相まって、切りくずを切りくず取込み穴３０内に吸引するための空気の流れが良好に形成される。また、このように連通溝５２が設けられることにより、逃げ角ρを小さくすることが可能で、設計の自由度が高くなる。【００５８】
図７の切りくず吸引ドリル６０は、ドリル先端からシャンク１６側へ向かうに従って連続的に径寸法が小さくなるバックテーパが設けられたもので、切れ刃用溝２２は前記実施例と同じで、その切れ刃用溝２２が設けられた軸方向長さＬ３の範囲が刃部６２である。一方、一対の切れ刃用溝２２に対応して逃げ面２６に達するように設けられた一対の空気導入溝６４は、前記空気導入溝３２と同様に切れ刃用溝２２と交差することがないように左ねじれで設けられているが、その長さ寸法は十分に長くてドリル外周面に螺旋状に設けられており、穴明け加工に際して刃部６２が加工穴２０内に完全に入り込んでも、外部の空気を空気導入溝６４から工具先端部に導入できるようになっている。【００５９】
本実施例においても、刃部６２を含めてその外周面に空気導入溝６４が設けられ、その空気導入溝６４を経て外部の空気が工具先端部に良好に導入されるため、工具の内部には１本の切りくず吸引通路１８が設けられるだけで良く、その切りくず吸引通路１８の断面積を十分に確保することが可能で、その切りくず吸引通路１８の拡大に伴って切りくず取込み穴３０も大きくすることができるため、切りくず詰まりの発生が抑制されるとともに、優れた切りくず吸引性能が得られるようになるなど、前記実施例と同様の効果が得られる。【００６０】
以上、本発明の実施例を図面に基づいて詳細に説明したが、これ等はあくまでも一実施形態であり、本発明は当業者の知識に基づいて種々の変更、改良を加えた態様で実施することができる。
【産業上の利用可能性】
【００６１】
本発明の切りくず吸引ドリルは、刃部の外周面に空気導入溝が設けられ、その空気導入溝を経て外部の空気が工具先端部に良好に導入されるため、工具の内部には切りくず吸引通路を設けるだけで良く、その切りくず吸引通路の断面積を十分に確保することが可能で、その切りくず吸引通路の拡大に伴って切りくず取込み穴も大きくすることができるため、切りくず詰まりの発生が抑制されるとともに、優れた切りくず吸引性能が得られるようになり、切りくずを排出しない環境に優しい穴明け加工に好適に用いられる。
【図１】
2009107235.tif 000003
【図２】
2009107235.tif 000004
【図３】
2009107235.tif 000005
【図４】
2009107235.tif 000006
【図５】
2009107235.tif 000007
【図６】
2009107235.tif 000008
【図７】
2009107235.tif 000009
【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
外周面に切れ刃用溝が形成されているとともに、該切れ刃用溝が工具先端側に開口する端縁に穴明け用の切れ刃が設けられた刃部を一体に備えている一方、
工具の内部に軸心Ｏに沿って設けられるとともに、前記切れ刃用溝に開口する切りくず取込み穴が形成された切りくず吸引通路を有し、
軸心Ｏまわりに回転駆動されつつ工具先端側へ前進させられることにより前記切れ刃によって穴明け加工を行なうとともに、該穴明け加工で生成された切りくずを前記切りくず取込み穴から前記切りくず吸引通路内に吸引してシャンク側へ排出する切りくず吸引ソリッドドリルにおいて、
前記刃部の外周面には、シャンク側から見た工具回転方向と反対方向にねじれている空気導入溝が前記切れ刃の逃げ面に達するように設けられており、前記切りくず吸引通路による空気の吸引に伴って、該空気導入溝から工具先端部に導入された空気が切りくずと共に前記切りくず取込み穴内に吸引され、該切りくず吸引通路を経てシャンク側へ排出されるようになっている
ことを特徴とする切りくず吸引ソリッドドリル。
【請求項２】
前記切れ刃用溝は、軸心Ｏと平行な直溝またはシャンク側から見た工具回転方向と同じ方向にねじれたねじれ溝で、
前記空気導入溝は、軸方向において前記切れ刃用溝よりもシャンク側へ長く延び出すように設けられている
ことを特徴とする請求項１に記載の切りくず吸引ソリッドドリル。
【請求項３】
ドリル径Ｄに対して、前記刃部の軸方向長さＬ３は１．０Ｄ〜２．０Ｄの範囲内である
ことを特徴とする請求項１または２に記載の切りくず吸引ソリッドドリル。
【請求項４】
ドリル径Ｄに対して、前記切りくず取込み穴の軸方向長さＬ１は０．３Ｄ〜１．０Ｄの範囲内で、軸方向と直角な幅方向の最大寸法である幅寸法Ｌ２は０．１５Ｄ以上である
ことを特徴とする請求項１〜３の何れか１項に記載の切りくず吸引ソリッドドリル。
【請求項５】
前記切れ刃の逃げ面には、前記空気導入溝を通って導入された空気が該逃げ面と加工穴の底面との間の隙間を通って前記切れ刃用溝内へ流入できるように所定の逃げが設けられている
ことを特徴とする請求項１〜４の何れか１項に記載の切りくず吸引ソリッドドリル。
【請求項６】
前記切れ刃の逃げ面には、前記切れ刃用溝が工具先端側に開口する端縁のうち前記切れ刃と反対側に位置する部分と前記空気導入溝とを繋ぐように連通溝が設けられている
ことを特徴とする請求項１〜５の何れか１項に記載の切りくず吸引ソリッドドリル。
【請求項７】
前記切れ刃用溝および前記切れ刃は、軸心Ｏに対して対称的に一対設けられている一方、
前記切りくず吸引通路は、工具の軸心Ｏと同心に形成された単一の円形穴で、
該切りくず吸引通路の先端に部分的に交わるように前記一対の切れ刃用溝が設けられることにより、それぞれ該切れ刃用溝に開口する一対の切りくず取込み穴が形成されている
ことを特徴とする請求項１〜６の何れか１項に記載の切りくず吸引ソリッドドリル。
【請求項８】
前記刃部に連続して該刃部よりも径寸法が小さい首部を一体に有し、
前記切れ刃用溝は、前記刃部と前記首部との境界の段差に達しない範囲に設けられている一方、
前記空気導入溝は、前記刃部と前記首部との境界の段差を含んで設けられている
ことを特徴とする請求項１〜７の何れか１項に記載の切りくず吸引ソリッドドリル。
【請求項９】
前記首部の径寸法ｄ１は、加工穴の内周面との間に前記切りくず吸引通路の断面積と同じかそれ以上の断面積の環状空間が形成されるように定められている
ことを特徴とする請求項８に記載の切りくず吸引ソリッドドリル。
【手続補正３】
【補正対象書類名】明細書
【補正対象項目名】０００１
【補正方法】変更
【補正の内容】
【０００１】
技術分野
［０００１］
本発明はドリルに係り、特に、環境汚染の予防や清掃作業の簡略化を図るために切りくずを強制的に吸引して排出する切りくず吸引ソリッドドリルに関するものである。
背景技術
［０００２］
（ａ）外周面に切れ刃用溝が形成されているとともに、その切れ刃用溝が工具先端側に開口する端縁に穴明け用の切れ刃が設けられた刃部と、（ｂ）工具の内部に軸心に沿って設けられるとともに、前記切れ刃用溝に開口する切りくず取込み穴が形成された切りくず吸引通路と、を有し、（ｃ）軸心まわりに回転駆動されつつ工具先端側へ前進させられることにより前記切れ刃によって穴明け加工を行なうとともに、その穴明け加工で生成された切りくずを前記切りくず取込み穴から前記切りくず吸引通路内に吸引してシャンク側へ排出する切りくず吸引ソリッドドリルが提案されている（特許文献１参照）。このような切りくず吸引ソリッドドリルによれば、穴明け加工で生成された切りくずが切りくず取込み穴から切りくず吸引通路内に吸引されてシャンク側へ排出されるため、クーラントで洗い流す場合に比較して、切りくずの後始末が容易になって清掃作業が簡略化されるとともに、切りくずの飛散による作業環境の悪化が大幅に改善される。
特許文献１：特公昭４４−１３７４５号公報
発明の開示
発明が解決しようとする課題
［０００３］
ところで、上記引用文献１に記載の切りくず吸引ソリッドドリルは、切りくず吸引通路とは別に空気導入通路が工具の内部に設けられ、切りくず吸引通路による吸引に伴って空気導入通路から空気が工具の先端部分へ導入されるようになっているため、切りくず吸引通路の断面積を十分に確保することが困難で、切りくず詰まりが発生し易いとともに、切りくず取込み穴が小さくて切りくずの吸引作用が十分に得られないという問題があった。空気導入通路の開口部、すなわち空気の導入部位も切れ刃より手前であるため、切れ刃によって生成された切りくずを必ずしも効率良く切りくず取込み穴に
【手続補正４】
【補正対象書類名】明細書
【補正対象項目名】０００２
【補正方法】変更
【補正の内容】
【０００２】
導くことができない。また、切れ刃を形成するための切れ刃用溝に連続して螺旋状溝が軸方向に連続して設けられているため、その螺旋状溝からも空気が工具先端側へ導入されることになり、切りくず吸引通路が空気ばかり吸い込んで、切りくずをうまく吸い込むことができない可能性があった。更に、切りくず吸引通路の負圧の作用だけで空気導入通路内に空気が導入されるため、十分な空気の流れを発生させることが困難で、この点でも切りくずの吸引作用が十分に得られない可能性がある。
［０００４］
本発明は以上の事情を背景として為されたもので、その目的とするところは、切れ刃によって生成された切りくずが高い吸引作用で切りくず吸引通路内に良好に吸引され、切りくず詰まりを生じることなくその切りくず吸引通路内を通って良好に排出されるようにすることにある。
課題を解決するための手段
［０００５］
かかる目的を達成するために、第１発明は、（ａ）外周面に切れ刃用溝が形成されているとともに、その切れ刃用溝が工具先端側に開口する端縁に穴明け用の切れ刃が設けられた刃部を一体に備えている一方、（ｂ）工具の内部に軸心Ｏに沿って設けられるとともに、前記切れ刃用溝に開口する切りくず取込み穴が形成された切りくず吸引通路を有し、（ｃ）軸心Ｏまわりに回転駆動されつつ工具先端側へ前進させられることにより前記切れ刃によって穴明け加工を行なうとともに、その穴明け加工で生成された切りくずを前記切りくず取込み穴から前記切りくず吸引通路内に吸引してシャンク側へ排出する切りくず吸引ソリッドドリルにおいて、（ｄ）前記刃部の外周面には、シャンク側から見た工具回転方向と反対方向にねじれている空気導入溝が前記切れ刃の逃げ面に達するように設けられており、前記切りくず吸引通路による空気の吸引に伴って、その空気導入溝から工具先端部に導入された空気が切りくずと共に前記切りくず取込み穴内に吸引され、その切りくず吸引通路を経てシャンク側へ排出されるようになっていることを特徴とする。
［０００６］
第２発明は、第１発明の切りくず吸引ソリッドドリルにおいて、（ａ）前記切れ刃用溝は、軸心Ｏと平行な直溝またはシャンク側から見た工具回転方向と同じ方向にねじれたねじれ溝で、（ｂ）前記空気導入溝は、軸方向において前記切れ刃用溝よりもシャンク側へ長く延び出すように設けられていることを特徴とする。
［０００７］
第３発明は、第１発明または第２発明の切りくず吸引ソリッドドリルにおいて、ドリル径Ｄに対して、前記刃部の軸方向長さＬ３は１．０Ｄ〜２．０Ｄの範囲内であることを特徴とする。なお、刃部は、前記切れ刃用溝が形成されている範囲である。
【手続補正５】
【補正対象書類名】明細書
【補正対象項目名】０００３
【補正方法】変更
【補正の内容】
【０００３】
［０００８］
第４発明は、第１発明〜第３発明の何れかの切りくず吸引ソリッドドリルにおいて、ドリル径Ｄに対して、前記切りくず取込み穴の軸方向長さＬ１は０．３Ｄ〜１．０Ｄの範囲内で、軸方向と直角な幅方向の最大寸法である幅寸法Ｌ２は０．１５Ｄ以上であることを特徴とする。
［０００９］
第５発明は、第１発明〜第４発明の何れかの切りくず吸引ソリッドドリルにおいて、前記切れ刃の逃げ面には、前記空気導入溝を通って導入された空気がその逃げ面と加工穴の底面との間の隙間を通って前記切れ刃用溝内へ流入できるように所定の逃げが設けられていることを特徴とする。
［００１０］
第６発明は、第１発明〜第５発明の何れかの切りくず吸引ソリッドドリルにおいて、前記切れ刃の逃げ面には、前記切れ刃用溝が工具先端側に開口する端縁のうち前記切れ刃と反対側に位置する部分と前記空気導入溝とを繋ぐように連通溝が設けられていることを特徴とする。
［００１１］
第７発明は、第１発明〜第６発明の何れかの切りくず吸引ソリッドドリルにおいて、（ａ）前記切れ刃用溝および前記切れ刃は、軸心Ｏに対して対称的に一対設けられている一方、（ｂ）前記切りくず吸引通路は、工具の軸心Ｏと同心に形成された単一の円形穴で、（ｃ）その切りくず吸引通路の先端に部分的に交わるように前記一対の切れ刃用溝が設けられることにより、それぞれその切れ刃用溝に開口する一対の切りくず取込み穴が形成されていることを特徴とする。
［００１２］
第８発明は、第１発明〜第７発明の何れかの切りくず吸引ソリッドドリルにおいて、（ａ）前記刃部に連続してその刃部よりも径寸法が小さい首部を一体に有し、（ｂ）前記切れ刃用溝は、前記刃部と前記首部との境界の段差に達しない範囲に設けられている一方、（ｃ）前記空気導入溝は、前記刃部と前記首部との境界の段差を含んで設けられていることを特徴とする。
［００１３］
第９発明は、第８発明の切りくず吸引ソリッドドリルにおいて、前記首部の径寸法ｄ１は、加工穴の内周面との間に前記切りくず吸引通路の断面積と同じかそれ以上の断面積の環状空間が形成されるように定められていることを特徴とする。
発明の効果
［００１４］
このような切りくず吸引ソリッドドリルにおいては、刃部の外周面に切れ刃の逃げ面に達す
【手続補正６】
【補正対象書類名】明細書
【補正対象項目名】０００４
【補正方法】変更
【補正の内容】
【０００４】
るように空気導入溝が設けられているため、切れ刃によって切りくずが生成される工具先端部に空気が良好に導入されるようになり、切りくず吸引通路による空気の吸引に伴って、空気導入溝から工具先端部に導入された空気が切りくずと共に良好に切りくず取込み穴内に吸引され、切りくず吸引通路を経てシャンク側へ良好に排出されるようになる。その場合に、刃部の外周面に空気導入溝が設けられることにより、工具の内部には切りくず吸引通路が設けられるだけであるため、その切りくず吸引通路の断面積を十分に確保することが可能で、その切りくず吸引通路の拡大に伴って切りくず取込み穴も大きくすることができるため、切りくず詰まりの発生が抑制されるとともに、優れた切りくず吸引性能が得られるようになる。加えて、工具の内部に空気導入通路を設ける場合に比較して、空気の導入部位が切りくずを生成する切れ刃に一層近くなるため、その切りくずを一層効果的に切りくず取込み穴内に導くことができ、切りくず吸引性能が一層向上する。
［００１５］
また、穴明け加工の進行に伴って切れ刃用溝が設けられた刃部が加工穴内に入り込むと、その切れ刃用溝からの空気の流入が制限されるため、空気導入溝を中心として空気が工具先端部に導入されるようになり、その工具先端側から切りくず取込み穴内に吸い込まれる際に切りくずが一層良好に切りくず吸引通路内に吸引されるようになる。
また、空気導入溝が工具回転方向と反対方向にねじれているため、穴明け加工の際の工具の回転に伴って空気導入溝を経て工具先端側へ空気が一層良好に導入されるようになり、切りくず吸引通路による空気の吸引と相まって空気導入溝から工具先端部を経て切りくず取込み穴へ向かう空気の流れが良好に形成され、その空気の流れにより切りくずが一層良好に切りくず吸引通路内に吸引されるようになる。
［００１６］
第２発明では、空気導入溝が軸方向において切れ刃用溝よりもシャンク側へ長く延び出すように設けられているため、切れ刃用溝が加工穴内に完全に入り込んだ後には、空気導入溝を中心として空気が工具先端部に導入されるようになり、優れた切りくず吸引性能が得られるようになる。
［００１７］
第３発明では、切れ刃用溝が設けられた刃部の軸方向長さＬ３が１．０Ｄ〜２．０Ｄの
【手続補正７】
【補正対象書類名】明細書
【補正対象項目名】０００６
【補正方法】変更
【補正の内容】
【０００６】
刃部と首部との境界の段差を含んで空気導入溝を設ければ、加工穴の内周面と首部との間の隙間を通って空気導入溝内に空気が良好に導入されるため、空気導入溝の加工長さが短くなるとともに、首部の加工は円筒切削加工或いは研削加工等により比較的簡単に且つ迅速に行なうことができるため、製造コストが低減される。
［００２３］
第９発明では、首部の径寸法ｄ１が、加工穴の内周面との間に切りくず吸引通路の断面積と同じかそれ以上の断面積の環状空間が形成されるように定められているため、その首部と加工穴の内周面との間に十分な量の空気が流入し、切りくずを切りくず取込み穴内に吸引するための空気の流れが良好に形成される。
図面の簡単な説明
［００２４］
［図１］本発明の一実施例である２枚刃の切りくず吸引ソリッドドリルを示す図で、（ａ）は概略正面図、（ｂ）は先端部の拡大図、（ｃ）は（ｂ）の右方向すなわち先端側から見た端面図、（ｄ）は（ｃ）の下方から見た図で（ｂ）に比較して軸心Ｏまわりの位相が９０°異なる方向から見た図である。
［図２］図１の切りくず吸引ソリッドドリルの先端部を切れ刃用溝に沿って破断した断面図である。
［図３］図１の切りくず吸引ソリッドドリルに設けられた切りくず取込み穴の拡大図である。
［図４］図１の切りくず吸引ソリッドドリルを用いて穴明け加工を行なった場合の空気の流れを説明する断面図である。
［図５］本発明品を含む４種類の試験品を用いて穴明け加工を行い、切りくず吸引性能を調べた結果を説明する図である。
［図６］本発明の他の実施例を説明する図で、図１の（ｄ）に対応する先端部の拡大図である。
［図７］本発明の更に別の実施例を説明する正面図である。
符号の説明
［００２５］
１０、５０、６０：切りくず吸引ソリッドドリル  １２、６２：刃部  １４：首部  １６：シャンク  １８：切りくず吸引通路  ２０：加工穴  ２２：切れ刃用溝  ２４：切れ刃  ２６：逃げ面  ３０：切りくず取込み穴  ３２、６４：空気導入溝  ５２：連通溝  Ｏ：軸心  Ｄ：ドリル径
【手続補正８】
【補正対象書類名】明細書
【補正対象項目名】０００７
【補正方法】変更
【補正の内容】
【０００７】
発明を実施するための最良の形態
［００２６］
本発明は、２枚刃のドリルに好適に適用されるが、１枚刃のドリルや３枚刃以上のドリルに適用することも可能である。ドリルの材質は、超硬合金や高速度工具鋼等の種々の工具材料を使用できる。
［００２７］
本発明の切りくず吸引ソリッドドリルは、基本的には切削油剤を使用しないドライ加工に好適に用いられるが、切りくずの吸引作用が適当に得られる範囲で、ミスト状の切削油剤などを使用しても差し支えない。また、例えば鋳物やアルミ鋳物など、切りくずが細かくて且つ絡みにくい被削材に対する穴明け加工に好適に用いられる。
［００２８］
本発明は、刃部よりも小径の首部を有するドリルに好適に適用されるが、ドリル径Ｄと略同じ径寸法でシャンクまで達しているものや、シャンク側に向かうに従って連続的に径寸法が小さくなるバックテーパが設けられたものにも、良好に適用され得る。その場合に、切れ刃用溝が設けられる刃部は、先端側の比較的短い範囲（例えば軸方向長さＬ３＝１．０Ｄ〜２．０Ｄ程度）に設定することが望ましく、空気導入溝は、その刃部を超えてシャンク側へ向かって延び出すように設ければ良い。
［００２９］
切れ刃用溝は、軸心Ｏと平行であっても良いが、切れ刃によって生成された切りくずが切れ刃用溝に開口する切りくず取込み穴に向かって良好に流動するように、シャンク側から見た工具回転方向と同じ方向へねじれたねじれ溝とすることが望ましい。この切れ刃用溝は短くて良いため、軸心Ｏに対して傾斜する直線状の傾斜溝であっても良く、このような傾斜溝もねじれ溝の一態様である。なお、切れ刃用溝は比較的短く、且つ切りくず吸引通路の吸引で切りくずが吸い込まれるため、切れ刃用溝がシャンク側から見た工具回転方向と反対方向へねじれたり傾斜したりしていても、切りくず取込み穴内に吸引することができる。
［００３０］
切りくず吸引通路は、例えば軸心Ｏと同心に設けられる直線状の円形穴が望ましいが、軸心Ｏまわりにねじれたねじれ穴や、断面が三角形や四角形等の角形穴を採用することもできるなど、切りくずを流通させることができる種々の態様が可能である。円形穴の切りくず吸引通路の場合、その径寸法ｄ２は、小さ過ぎると切りくずの流通が阻害され、大き過ぎると工具の剛性が損なわれるため、例えば０．３Ｄ〜０．７Ｄの範囲内が適当で、０．５Ｄ〜０．７Ｄ程度が望ましい。この切りくず吸引通路は、例えばシャン
【手続補正９】
【補正対象書類名】明細書
【補正対象項目名】０００８
【補正方法】変更
【補正の内容】
【０００８】
ク側の端面に達するように設けられて、切りくずを排出するように構成されるが、シャンクの中間部、或いはシャンクと首部との境界等に、外周面に開口する排出穴等を設けて切りくずを排出することもできる。
［００３１］
空気導入溝は、工具の回転に伴って空気が流入するように、シャンク側から見た工具回転方向と反対方向へねじれたねじれ溝とされる。小径の首部を備えていて刃部のみに空気導入溝が設けられる場合など、その長さ寸法が短い場合には、軸心Ｏに対して傾斜する直線状の傾斜溝であっても良く、このような傾斜溝もねじれ溝の一態様である。
［００３２］
上記空気導入溝は、切れ刃用溝に対応してその切れ刃用溝と同じ数だけ設けられる。この空気導入溝は、例えば一定の深さ寸法で外周面に沿って湾曲する円弧溝などで、切削加工或いは砥石による研削加工などで形成することができる。空気導入溝は、切れ刃用溝と交差したり接触したりしないように設けられ、工具先端部における流通を除いて互いに空気が流通しないように完全に分離して設けることが望ましいが、一部が接続されて僅かな量の空気が流通するようになっていても差し支えない。例えば、切れ刃の逃げ面と切れ刃用溝との境界部分に空気導入溝の先端部が開口するようになっていても良い。
［００３３］
切りくず取込み穴の軸方向長さＬ１は、０．３Ｄよりも小さいと切りくず詰まりが発生し易くなって溶着を生じる可能性が高くなる一方、軸方向長さＬ１が１．０Ｄよりも大きいと空気ばかり吸い込み易くなって切りくず吸引性能が低下するため、０．３Ｄ〜１．０Ｄの範囲内が適当である。また、切りくず取込み穴の幅寸法Ｌ２は、０．１５Ｄよりも小さいと切りくず詰まりが発生し易くなって溶着を生じる可能性が高くなる。なお、この幅寸法Ｌ２の上限は、切りくず吸引通路の大きさや切れ刃用溝の断面形状等によって定まる。
［００３４］
上記切りくず取込み穴は、例えば切れ刃用溝が切りくず吸引通路の先端に部分的に交わるように設けられることによって形成されるが、必ずしも交差によって形成され
【手続補正１０】
【補正対象書類名】明細書
【補正対象項目名】０００９
【補正方法】変更
【補正の内容】
【０００９】
た穴をそのまま切りくず取込み穴として使用する必要はなく、必要に応じて研削加工等により穴を拡大して切りくず取込み穴として使用するようにしても良い。切れ刃用溝と切りくず吸引通路とが全く交差しない場合には、切れ刃用溝の底部に穴明け加工等を行なって切りくず吸引通路に連通させるようにしても良いなど、種々の態様が可能である。
［００３５］
刃部は、上記切りくず取込み穴を形成できれば良いため、その長さ寸法Ｌ３は、１．０Ｄ〜２．０Ｄの範囲内が適当である。長さ寸法Ｌ３が２．０Ｄよりも長くても差し支えないが、空気導入溝が切れ刃用溝と干渉（接触）しないようにするため、刃部の長さ寸法Ｌ３、すなわち切れ刃用溝の長さ寸法はできるだけ短い方が望ましい。
［００３６］
前記第８発明では、切れ刃用溝が刃部と首部との境界の段差に達しない範囲に設けられているが、例えば空気導入溝だけでは十分に空気を導入することが困難で、適当な空気の流れを形成することが難しい場合には、切れ刃用溝が刃部と首部との境界の段差に達するように形成し、所定量の空気が首部から切れ刃用溝内に流入するように構成することも可能である。
実施例
［００３７］
以下、本発明の実施例を、図面を参照しつつ詳細に説明する。
図１は本発明の一実施例である切りくず吸引ソリッドドリル１０を示す図で、（ａ）は軸心Ｏと直角方向から見た概略正面図、（ｂ）は先端の刃部１２の拡大図、（ｃ）は（ｂ）の右方向すなわち先端側から見た端面図、（ｄ）は（ｃ）の下方から見た図で（ｂ）に比較して軸心Ｏまわりの位相が９０°異なる方向から見た図である。この切りくず吸引ソリッドドリル１０は、超硬合金にて構成されているとともに、ドリル径Ｄと同じ径寸法を有する刃部１２、刃部１２よりも小径で一定の径寸法ｄ１の首部１４、および刃部１２と同じ径寸法のシャンク１６とを、軸心Ｏ上に連続して一体に備えている。本実施例では、ドリル径Ｄ＝１０ｍｍで、首部１４の径寸法ｄ１＝８ｍｍで、軸心Ｏ上にはシャンク１６側の端面から先端近くまで一定の径寸法ｄ２＝６ｍｍ（０．６Ｄ）の直線状の有底の円形穴が切りくず吸引通路１８として形成されている。首部１４の径寸法ｄ１は、加工穴２０（図４参照）の内周面との間の環状の隙間２１が切りくず吸引通路１８の断面積と略同じになるように、加工
【手続補正１１】
【補正対象書類名】明細書
【補正対象項目名】００１０
【補正方法】変更
【補正の内容】
【００１０】
穴２０の内径＝ドリル径Ｄとして、次式（１）を満足するように定められている。
Ｄ２π−ｄ１２π＝ｄ２２π  ・・・（１）
［００３８］
上記刃部１２の外周面には、軸心Ｏに対して対称的に一対の切れ刃用溝２２が設けられており、その切れ刃用溝２２の工具先端側に開口する端縁にそれぞれ穴明け用の切れ刃２４が設けられている。本実施例の切りくず吸引ソリッドドリル１０は、シャンク１６側から見て右まわりに回転駆動されることにより穴明け加工を行なうもので、上記切れ刃用溝２２は所定のねじれ角（例えば２０°程度）で右まわりにねじれたねじれ溝、厳密には直線状の傾斜溝とされており、切れ刃２４によって生成された切りくずには、工具の回転に伴ってその切れ刃用溝２２の傾斜により首部１４側へ向かう方向の分力が作用する。また、切れ刃２４には、所定の逃げ角ρで円弧状に逃げるように逃げ面２６が形成されている。逃げ角ρは、本実施例では約１０°とされている。
［００３９］
上記切れ刃用溝２２は、図２に示すように先端に例えば１．０〜１．３ｍｍ程度の心厚を残す状態で、その先端から軸心Ｏに対して所定の勾配角θで傾斜するように、砥石による研削加工によって形成されており、その溝底の一部が前記切りくず吸引通路１８と交差（干渉）することにより、切りくず取込み穴３０が形成されている。図３は、この切りくず取込み穴３０を示す正面図、すなわち図１（ｂ）に相当する形状の拡大図で、切りくず取込み穴３０の軸心Ｏと平行な方向の軸方向長さＬ１は０．３Ｄ〜１．０Ｄの範囲内で、軸方向と直角な幅方向の最大寸法である幅寸法Ｌ２は０．１５Ｄ以上である。この切りくず取込み穴３０の形状や大きさは、上記勾配角θや切れ刃用溝２２の断面形状によって定まり、本実施例では勾配角θ≒２０°で、軸方向長さＬ１≒５．０ｍｍ（０．５Ｄ）とされ、幅寸法Ｌ２≒２．５ｍｍ（０．２５Ｄ）とされている。図２は、切れ刃用溝２２の傾斜（ねじれ）に沿って切り開いた断面図である。
［００４０］
刃部１２は、切れ刃用溝２２が首部１４に達することがないように、厳密には首部１４と刃部１２との境界の段差に達しないように、その軸方向長さＬ３が１．０Ｄ〜２．０Ｄの範囲内で設定されており、本実施例ではＬ３≒１２ｍｍ（１．２Ｄ）とされている。
［００４１］
刃部１２の外周面にはまた、切れ刃用溝２２と交差することがないように、軸心Ｏに対して対称的に一対の空気導入溝３２が設けられている。空気導入溝３２は、シャンク１６側から見た工具回転方向と反対方向すなわち左まわりに所定のねじれ角（例えば３
【手続補正１２】
【補正対象書類名】明細書
【補正対象項目名】００１１
【補正方法】変更
【補正の内容】
【００１１】
０°程度）でねじれたねじれ溝で、首部１４と刃部１２との境界の段差を含んで前記逃げ面２６に達するように設けられており、穴明け加工時の工具の回転に伴って外部の空気が空気導入溝３２に沿って工具の先端側へ流動させられる。この空気導入溝３２は、砥石による研削加工によって所定の幅寸法（例えば２〜３ｍｍ程度）で、溝底径が例えば首部１４の径寸法と略同じかそれより小さく、少なくとも切りくず吸引通路１８に達することがないように形成されている。本実施例では、空気導入溝３２がその全長に亘って切れ刃用溝２２と接することなく、完全に分離して設けられている。
［００４２］
そして、このような切りくず吸引ソリッドドリル１０は、図４に示すように前記切りくず吸引通路１８の後端部、すなわちシャンク１６側の開口部に吸引装置４０が接続され、その吸引装置４０により所定の吸引力で空気を吸引しつつ、図示しない加工機械（マシニングセンタなど）によりシャンク１６側から見て軸心Ｏの右まわりに回転駆動しつつ工具先端側へ前進させて、切れ刃２４により鋳物等の被削材４２に対して穴明け加工を行なう。その場合に、穴明け加工で生成された切りくずは、切れ刃用溝２２に形成された切りくず取込み穴３０から切りくず吸引通路１８内に吸引され、シャンク１６側へ排出される。
［００４３］
ここで、本実施例では刃部１２の外周面に切れ刃２４の逃げ面２６に達するように空気導入溝３２が設けられているため、切れ刃２４によって切りくずが生成される工具先端部に空気が良好に導入されるようになり、切りくず吸引通路１８による空気の吸引に伴い、空気導入溝３２から工具先端部に導入された空気が切りくずと共に良好に切りくず取込み穴３０内に吸引される。特に、刃部１２の外周面に空気導入溝３２が設けられることにより、工具の内部には１本の切りくず吸引通路１８が設けられるだけであるため、その切りくず吸引通路１８の断面積を十分に確保することが可能で、その切りくず吸引通路１８の拡大に伴って切りくず取込み穴３０も大きくすることができるため、切りくず詰まりの発生が抑制されるとともに、優れた切りくず吸引性能が得られるようになる。
［００４４］
また、工具の内部に空気導入通路を設ける場合に比較して、空気の導入部位が切りくずを生成する切れ刃２４に一層近くなるため、その切りくずを一層効果的に切りくず取込み穴３０内に導くことができ、切りくず吸引性能が一層向上する。
【手続補正１３】
【補正対象書類名】明細書
【補正対象項目名】００１３
【補正方法】変更
【補正の内容】
【００１３】
て除去することができる。
［００４９］
また、本実施例では、切れ刃２４の逃げ面２６に所定の逃げ角ρで円弧状の逃げが設けられているため、空気導入溝３２内に導入された空気が切れ刃２４の逃げ面２６と加工穴２０の底面との間の隙間を通って切れ刃用溝２２内へ良好に流入させられ、切りくずを切りくず取込み穴３０内に吸引する空気の流れが良好に形成される。
［００５０］
また、本実施例では、軸心Ｏに対して対称的に一対の切れ刃２４が設けられているが、工具の軸心Ｏと同心に単一の切りくず吸引通路１８が設けられているため、大きな流通断面積を確保することが可能で、切りくず詰まりを抑制しつつ一対の切れ刃２４によって生成された切りくずを良好にシャンク１６側へ排出することができる。
［００５１］
また、切りくず吸引通路１８の先端に部分的に交わるように一対の切れ刃用溝２２が設けられて一対の切りくず取込み穴３０が形成されているため、研削加工によって切れ刃用溝２２を形成する際に同時に切りくず取込み穴３０を設けることができるとともに、その切れ刃用溝２２の勾配角θを変更することにより、切りくず取込み穴３０の形状や大きさを簡単に調整することができる。
［００５２］
また、本実施例は、刃部１２に連続して刃部１２よりも径寸法が小さい首部１４を有する場合で、その刃部１２と首部１４との境界の段差を含んで空気導入溝３２を設ければ、加工穴２０の内周面と首部１４との間の隙間２１を通って空気導入溝３２内に空気が良好に導入されるため、空気導入溝３２の加工長さが短くなるとともに、首部１４の加工は円筒研削加工等により比較的簡単に且つ迅速に行なうことができるため、製造コストが低減される。
［００５３］
また、上記首部１４の径寸法ｄ１が、加工穴２０の内周面との間に切りくず吸引通路１８の断面積と略同じ断面積の環状空間が形成されるように定められているため、その首部１４と加工穴２０の内周面との間に十分な量の空気が流入し、切りくずを切りくず取込み穴３０内に吸引するための空気の流れが良好に形成される。
［００５４］
次に、図５の（ｂ）に示すように、切りくず取込み穴３０の大きさおよび空気導入溝３２の有無が異なる４種類の試験品Ｎｏ１〜Ｎｏ４を用意し、（ａ）に示す試験条件で穴明け加工を行って切りくず吸引性能を調べた結果を説明する。試験品Ｎｏ１〜Ｎｏ４の基本形状は前記実施例の切りくず吸引ソリッドドリル１０と同じで、径寸法ｄ２＝６ｍｍの切りくず吸
【手続補正１４】
【補正対象書類名】明細書
【補正対象項目名】００１４
【補正方法】変更
【補正の内容】
【００１４】
引通路１８を備えており、切れ刃用溝２２の勾配角θによって切りくず取込み穴３０の形状が変更されている。空気導入溝３２を有する試験品Ｎｏ３、Ｎｏ４が本発明品で、その中の試験品Ｎｏ３は、前記実施例と同じものである。
［００５５］
そして、試験品Ｎｏ３による穴明け加工時に切りくず吸引通路１８を経て吸引された切りくずの重量を１００％として、切りくず吸引量を比較したところ、図５の（ｂ）に示す結果が得られた。切りくず取込み穴３０が比較的小さく且つ空気導入溝３２を備えていない試験品Ｎｏ１では、切りくずがうまく吸引せず、切りくず取込み穴３０に切りくずが詰まって溶着が発生し、穴明け加工が不可であった。試験品Ｎｏ２は、試験品Ｎｏ３と同じ形状の切りくず取込み穴３０が設けられているが、空気導入溝３２を備えていなため、空気の流れがうまく形成されず、試験品Ｎｏ３に比較して切りくず吸引量は８５％程度であった。試験品Ｎｏ４は、切りくず取込み穴３０が大きく、従って切れ刃用溝２２が刃部１２を超えて首部１４にまで達している場合であり、刃部１２が加工穴２０内に完全に入り込んだ後も、その切れ刃用溝２２を経て空気が切りくず取込み穴３０に吸引されるため、その分だけ切りくず吸引性能が損なわれ、試験品Ｎｏ３に比較して切りくず吸引量は９０％程度であった。
［００５６］
次に、本発明の他の実施例を説明する。なお、以下の実施例において前記実施例と実質的に共通する部分には同一の符号を付して詳しい説明を省略する。
［００５７］
図６の切りくず吸引ソリッドドリル５０は、前記実施例に比較して、前記空気導入溝３２と切れ刃用溝２２とを繋ぐように切れ刃２４の逃げ面２６に連通溝５２を設けた場合である。この場合には、空気導入溝３２内に導入された空気がその連通溝５２を通って切れ刃用溝２２内へ良好に流入させられるようになり、前記逃げ角ρによる逃げ面２６の逃げと相まって、切りくずを切りくず取込み穴３０内に吸引するための空気の流れが良好に形成される。また、このように連通溝５２が設けられることにより、逃げ角ρを小さくすることが可能で、設計の自由度が高くなる。
［００５８］
図７の切りくず吸引ソリッドドリル６０は、ドリル先端からシャンク１６側へ向かうに従って連続的に径寸法が小さくなるバックテーパが設けられたもので、切れ刃用溝２２は前記実施例と同じで、その切れ刃用溝２２が設けられた軸方向長さＬ３の範囲が刃部６２である。一方、一対の切れ刃用溝２２に対応して逃げ面２６に達するように設けられた一対
【手続補正１５】
【補正対象書類名】明細書
【補正対象項目名】００１５
【補正方法】変更
【補正の内容】
【００１５】
の空気導入溝６４は、前記空気導入溝３２と同様に切れ刃用溝２２と交差することがないように左ねじれで設けられているが、その長さ寸法は十分に長くてドリル外周面に螺旋状に設けられており、穴明け加工に際して刃部６２が加工穴２０内に完全に入り込んでも、外部の空気を空気導入溝６４から工具先端部に導入できるようになっている。
［００５９］
本実施例においても、刃部６２を含めてその外周面に空気導入溝６４が設けられ、その空気導入溝６４を経て外部の空気が工具先端部に良好に導入されるため、工具の内部には１本の切りくず吸引通路１８が設けられるだけで良く、その切りくず吸引通路１８の断面積を十分に確保することが可能で、その切りくず吸引通路１８の拡大に伴って切りくず取込み穴３０も大きくすることができるため、切りくず詰まりの発生が抑制されるとともに、優れた切りくず吸引性能が得られるようになるなど、前記実施例と同様の効果が得られる。
［００６０］
以上、本発明の実施例を図面に基づいて詳細に説明したが、これ等はあくまでも一実施形態であり、本発明は当業者の知識に基づいて種々の変更、改良を加えた態様で実施することができる。
産業上の利用可能性
［００６１］
本発明の切りくず吸引ソリッドドリルは、刃部の外周面に空気導入溝が設けられ、その空気導入溝を経て外部の空気が工具先端部に良好に導入されるため、工具の内部には切りくず吸引通路を設けるだけで良く、その切りくず吸引通路の断面積を十分に確保することが可能で、その切りくず吸引通路の拡大に伴って切りくず取込み穴も大きくすることができるため、切りくず詰まりの発生が抑制されるとともに、優れた切りくず吸引性能が得られるようになり、切りくずを排出しない環境に優しい穴明け加工に好適に用いられる。
【国際調査報告】
2009107235.tif 000010
2009107235.tif 000011